(57)【要約】エレベータ機械の電動機の固定子の固定子巻線の取付装置であって、固定子は、固定子枠(1)を含み、固定子枠には、固定子歯(11)と、固定子歯の間にあるスロット(12)とが設けられ、固定子巻線(2)はスロット(12)にはめ込まれ、固定子は、固定子巻線をスロットに固定するために、スロットにはめ込まれる固定要素を有する。固定子は巻線枠(3)を含み、巻線枠は、スロットに対して配置された底(31)と、側面(32)とを有し、巻線枠に、巻線がはめ込み可能であり、巻線枠は、底から突き出た柔軟な止め要素(33)を含み、底から突き出た止め要素(33)、止め要素は、スロットに設けられた穴(13)にはめることができ、巻線枠がスロットへ押されたときに、止め要素は穴へ挿入され、巻線枠と固定子巻線を固定子枠へ止める。
2005525076.tif 000002
【特許請求の範囲】
【請求項１】
エレベータ機械の電動機の固定子の固定子巻線取付装置であって、該固定子は、固定子枠(1)を含み、該固定子枠には、固定子歯(11)と、該固定子歯の間にあるスロット(12)とが設けられ、固定子巻線(2)は該スロット(12)にはめ込まれ、前記固定子は、該固定子巻線を該スロットに固定するために、該スロットにはめ込まれる固定要素を有する取付装置において、
前記固定子は巻線枠(3)を含み、該巻線枠は、前記スロットに対して配置された底(31)と、側面(32)とを有し、該巻線枠に、前記巻線がはめ込み可能であり、
該巻線枠は、底から突き出た柔軟な止め要素(33)を含み、該止め要素は、前記スロットに設けられた穴(13)にはめることができ、前記巻線枠が該スロットへ押されたときに、該止め要素は該穴へ挿入され、該巻線枠と該固定子巻線を前記固定子枠へ止めることを特徴とする固定子巻線取付装置。
【請求項２】
請求項１に記載の固定子巻線取付装置において、前記巻線枠(3)は、実質的にトラフ状であることを特徴とする固定子巻線取付装置。
【請求項３】
請求項１に記載の固定子巻線取付装置において、前記巻線枠(3)は、プラスチック状の材料からなることを特徴とする固定子巻線取付装置。
【請求項４】
請求項１または４に記載の固定子巻線取付装置において、前記止め要素(33)は、前記巻線枠と同じ材料からなることを特徴とする固定子巻線取付装置。
【請求項５】
請求項１に記載の固定子巻線取付装置において、該装置は、磁束を制御するために前記スロット(12)の口にはめ込まれた強磁性体の実質的にストリップ状またはスティック状の要素(4)を含むことを特徴とする固定子巻線取付装置。
【請求項６】
請求項５に記載の固定子巻線取付装置において、前記要素(4)は前記巻線枠内に、はめ込まれることを特徴とする固定子巻線取付装置。
【請求項７】
請求項１に記載の固定子巻線取付装置において、前記要素(4)は、前記スロットの口の形状に従うように、形が作られていることを特徴とする固定子巻線取付装置。
【発明の詳細な説明】
【詳細な説明】
【０００１】
本発明は、エレベータ機械の電動機の固定子の固定子巻線の取付装置に関するものであり、この固定子は固定子枠を含み、固定子枠には、固定子歯と、それらの間にあるスロットとが設けられており、固定子においては、固定子巻線はスロットに、はめ込まれており、固定子は、固定子巻線をスロットに固定するために、スロットにはめ込まれた取付要素を有する。
【０００２】
エレベータ機械で使用される電動機の固定子は、固定子枠および固定子巻線からなり、固定子枠は、固定子歯と、それらの間にある固定子スロットとを有し、固定子巻線は、歯の周りの固定子枠に配設されている。固定子枠は、固定子パックを形成する薄い板から積層してもよい。固定子巻線の導体は、たとえば導体束として、固定子スロットに直接配置する。導体は、スロットの上端にはめ込まれたスロットくさびによって、スロットに保持される。スロットくさびは、スロットの上端と、ダブテール結合を形成してもよい。従来技術の固定子の欠点は、比較的遅くて複雑な巻線工程である。
【０００３】
さらに、機械的力によって引き起こされる導体のスロットでの動きを防ぐ必要がある。このために、くさびと導体の間にシール材を加える必要があるかもしれない。そうしないときは、たとえばフィンランド特許出願FI-A-884154号に記載されているように、各スロットくさびに、側面に摩擦面を有するアダプタ片と、対応して側面に摩擦面を有する２つの側片とを設ける。
【０００４】
本発明の目的は、より速い巻線工程を可能にする新しいタイプの巻線構造を達成することである。本発明の取付け構造は、たとえばトラフ状の形状のプラスチックの巻線枠を用いて実行され、巻線枠の周りに固定子巻線がはめ込まれる。巻線枠は、止め要素を含み、止め要素は巻線枠から突き出ており、巻線枠と同じ材料からできており、止め要素により、巻線は巻線枠にすばやく固定され、止め要素は、巻線コイルが巻線枠から出ることを防ぐ。本発明の解決策の特徴は、前記の特許請求の範囲に具体的に記載されている。
【０００５】
本発明によれば、とくに、固定子スロットに取り付ける前に巻線を完全なパックとして準備できるために、単純で、速くて、経済的な巻線工程が達成できる。
【０００６】
以下に、添付の図面を参照して、実施例により本発明を詳細に説明する。
【０００７】
図１は、エレベータ巻上モータとして用いられるかご型誘導電動機の固定子を示す。固定子は固定子枠１からなり、固定子枠１は、固定子歯11と、それらの間にある固定子スロット12とを有する。電動機は、固定子歯11の周りに置かれた固定子巻線（界磁極コイル）２を有し、固定子巻線は、トラフ状のプラスチック巻線枠３の周りに巻かれ、巻線枠３の底31は、歯11の側面に対して配置される。巻線枠３は、磁束を制御するために強磁性体で作られたスロットスティック４を含み、スロットスティック４は、スロットの口の上を伸びており、その形状に適合している。スロットスティックは、その一方の側において、巻線枠32の内側にすでに鋳造されているため、スロットスティック５は、巻線枠にしっかりと固定されており、離すことはできない。固定子スロットに取り付ける前に、巻線２を巻線枠３にはめて、完全な巻線パックを形成し、その後、パックをスロット12に押し入れて固定子枠に取り付ける。
【０００８】
図２および図３は、巻線枠３の底31に、どのようにして、底から突き出ている小さな弾性の止めタング33を設けるかを示す。固定子巻線がスロット12へ押されているとき、止めタングは、固定子枠のスロットに設けられた穴13へと素早く入る。こうして止めタング33は、界磁極コイルが固定子枠から出ることを防ぐ。
【０００９】
本発明のさまざまな実施例は、上記の実施例に限られることはなく、本発明のさまざまな実施例は、既述の特許請求の範囲内で変えることができることは、当業者には明らかである。
【図面の簡単な説明】
【００１０】
【図１】図１は、本発明による固定子を示し、プラスチックの巻線枠とスロットスティックを含む。
【図２】図２は、本発明による固定子を示し、電動機用のプラスチックの巻線枠を含む。
【図３】図３は、図２の詳細Ａの拡大図を示す。
【図１】
2005525076.tif 000003
【図２】
2005525076.tif 000004
【図３】
2005525076.tif 000005
【国際調査報告】
2005525076.tif 000006
2005525076.tif 000007